(57)【要約】【課題】グリル庫内に収納された調理具上の被調理物を効率的に加熱調理できるとともに、再点火時の爆着によるグリル扉への衝撃を抑えることができる加熱調理器を提供する。【解決手段】グリル庫２０と、グリル庫２０の前方開口部２００を開閉するグリル扉２２と、グリル庫２０内に収納される調理具２６の下方に、炎孔２１０がグリル庫２０の側壁２０５に向かって開口するように配設されたグリルバーナ２１と、を備えた加熱調理器において、グリル庫２０の底壁２０２にグリル庫２０内とグリル庫２０外とを連通させる通気部２０８を設ける。【選択図】図２
2018128150.tif 000002
【特許請求の範囲】
【請求項１】
前方開口部を有するグリル庫と、
グリル庫の前方開口部を開閉するグリル扉と、
グリル庫内に収納される調理具の下方に、炎孔がグリル庫の側壁に向かって開口するように配設されたグリルバーナと、を備え、
グリル庫の底壁には、グリル庫内とグリル庫外とを連通させる通気部が設けられている加熱調理器。
【請求項２】
請求項１に記載の加熱調理器において、
通気部は、グリル庫の底壁であって、炎孔よりも内側方に設けられている加熱調理器。
【請求項３】
請求項１または２に記載の加熱調理器において、
グリル庫の底壁よりも下方に、底壁と離間し、且つ通気部と対向するように配設された保護板が設けられている加熱調理器。
【請求項４】
請求項１〜３のいずれか１項に記載の加熱調理器において、
グリル庫内の下方域には、グリルバーナを上方から覆い、調理具の配設部とグリルバーナの配設部とを上下に区画するバーナカバーが設けられ、
炎孔と対向するバーナカバーの側方部には、炎孔からグリル庫の側壁に向かって噴出されるガスの燃焼排気が上方に向かって流れるように熱気導出部が開設されており、
グリル庫の底壁に設けられた通気部は、バーナカバー内に位置する加熱調理器。
【請求項５】
請求項４に記載の加熱調理器において、
グリル庫内のガスの燃焼排気を外部に排出する排気口を有し、
少なくともバーナカバーよりも上方のグリル庫内の上方域を形成する後壁は、グリル庫内の燃焼排気が後壁から排気口に流出しないように閉塞されており、
グリル庫の上壁は、グリル庫内の燃焼排気を排気口へ導出する排気通路が形成されるように二層構造を有し、
調理具に面する下方の第１上壁には、グリル庫内と排気通路とを連通させる熱気排出部が設けられている加熱調理器。
【請求項６】
請求項１〜５のいずれか１項に記載の加熱調理器において、
グリルバーナは、調理具の下方に配設された下火バーナのみからなる加熱調理器。
【発明の詳細な説明】
【技術分野】
【０００１】
本発明は、加熱調理器に関する。特に、本発明は、グリルを備える加熱調理器に関する。
【背景技術】
【０００２】
従来、グリル庫内の上壁及び左右の側壁にそれぞれバーナ（上火バーナ、下火バーナ）が配設され、グリル庫内に収納された焼網やグリルプレートなどの調理具上に載置された被調理物を、下火バーナからグリル庫の内方に向かって噴出されるガスの燃焼排気によって下方から加熱するとともに、上火バーナの輻射熱によって上方から加熱するように構成された所謂、両面焼きグリルが知られている（例えば、特許文献１〜３）。
【先行技術文献】
【特許文献】
【０００３】
【特許文献１】特開２０１５−１５８２９０号公報
【特許文献２】特開２０１５−２００４６０号公報
【特許文献３】特開２０１５−２２３４５４号公報
【発明の概要】
【発明が解決しようとする課題】
【０００４】
ところで、グリルを用いて被調理物を調理する場合、厚みのある被調理物を調理したり、一回の調理量を多くするためには、被調理物が載置される調理具の上方の空間をできるだけ広い容積とし、下火バーナが配設される調理具の下方の空間をできるだけ狭い容積とすることが望まれる。そのため、グリルプレートなどの皿状の調理具を用いて加熱調理する場合に放電ミスなどにより下火バーナで点火不良が生じると、グリル庫内の下方の空間に生ガスが充満し、充満した生ガスの濃度が低下し難い。その結果、下方の空間に高濃度の生ガスが滞留している状態で再点火が行われると、爆着の虞がある。特に、下火バーナのみが配設されたグリル庫内で被調理物の上下面を効率的に加熱するためには、上下バーナ両方を用いる場合よりも高い燃焼能力を有するグリルバーナを用いるとともに、燃焼排気がグリル庫内へ噴出されてからグリル庫外へ排出されるまでの時間がより長くなるようにグリル庫の密閉性を向上させる必要がある。それゆえ、点火時の下火バーナへのガス供給量が多くなるだけでなく、点火不良時にグリル庫内に噴出された生ガスの濃度もさらに低下し難くなるため、爆着が生じやすい。このようなグリルで再点火によって爆着が生じると、爆着時の衝撃によりグリル扉が前方に押されて、グリル庫とグリル扉との間の隙間から燃焼炎が漏れる虞がある。
【０００５】
本発明は上記課題を解決するものであり、本発明の目的は、グリル庫内に収納された調理具上の被調理物を効率的に加熱調理できるとともに、再点火時の爆着によるグリル扉への衝撃を抑えることができる加熱調理器を提供することにある。
【課題を解決するための手段】
【０００６】
本発明によれば、
前方開口部を有するグリル庫と、
グリル庫の前方開口部を開閉するグリル扉と、
グリル庫内に収納される調理具の下方に、炎孔がグリル庫の側壁に向かって開口するように配設されたグリルバーナと、を備え、
グリル庫の底壁には、グリル庫内とグリル庫外とを連通させる通気部が設けられている加熱調理器が提供される。
【０００７】
上記加熱調理器によれば、グリル庫の底壁にはグリル庫内とグリル庫外とを連通させる通気部が設けられているから、グリルバーナの燃焼時にドラフト効果によりグリル庫外から通気部を介してグリル庫内に流入する二次空気を円滑に上方のグリルバーナに供給することができる。これにより、調理具の下方に配設されたグリルバーナを良好に燃焼させることができる。また、調理具の下方に配設されているグリルバーナの炎孔はグリル庫の側壁に向かって開口しているから、炎孔から噴出されるガスの燃焼排気は通気部から流入する下方からの二次空気の流れに従って上方の調理具の側端部を通ってグリル庫の上方域に供給することができる。そして、グリルバーナの燃焼時、通気部はグリルバーナの炎孔よりも二次空気の流路の上流に位置するから、上方への二次空気の流れによって高温の燃焼排気が通気部からグリル庫外に漏洩することもない。これにより、効率的にグリル庫内に燃焼排気を対流させることができる。
一方、上記加熱調理器では、調理具の下方にグリルバーナが配設されているため、点火不良が生じた場合、生ガスがグリル庫の下方に滞留して、再点火時に爆着が生じやすい。しかしながら、上記加熱調理器によれば、グリル庫の底壁には、グリル庫内とグリル庫外とを連通させる通気部が設けられているから、爆着によって生じた衝撃を、グリルバーナよりも下方であって、通気抵抗の低い通気部から器具外部への影響の少ないグリル庫外の下方に逃がすことができる。これにより、再点火時に爆着が生じた場合でも、グリル扉への衝撃を低減できる。
【０００８】
好ましくは、上記加熱調理器において、
通気部は、グリル庫の底壁であって、炎孔よりも内側方に位置する。
【０００９】
グリルプレートなどの皿状の調理具の下方にグリルバーナが配設されている場合、点火不良が生じると、より多くの生ガスが調理具の下方に滞留する。そして、グリルバーナの炎孔がグリル庫の側壁に向かって開口している場合、再点火によって炎孔から噴出されるガスが点火されて、調理具の下方に滞留していた生ガスが爆着すると、爆着による衝撃は、通気抵抗の低いグリル庫内の側方から調理具よりも上方の空間に向かって流れやすくなる。
しかしながら、上記加熱調理器によれば、グリルバーナの炎孔はグリル庫の側壁に向かって開口しているものの、グリル庫の底壁であって、グリルバーナの炎孔よりも内側方に、グリル庫内とグリル庫外とを連通させる通気部が設けられているから、爆着による衝撃を、グリルバーナよりも下方であって、通気抵抗の低い内側方の通気部に向かわせることができる。これにより、再点火時に爆着が生じた場合でも、グリル扉への衝撃をさらに低減できる。
【００１０】
好ましくは、上記加熱調理器において、
グリル庫の底壁よりも下方に、底壁と離間し、且つ通気部と対向するように配設された保護板が設けられる。
【００１１】
上記加熱調理器によれば、グリル庫の底壁よりも下方に、底壁と離間し、且つ通気部と対向するように保護板が設けられているから、正常燃焼時に底壁と保護板との間に空気導入路を形成でき、通気部から円滑にグリル庫外の空気をグリル庫内に流入させることができる。また、爆着が生じて、燃焼炎が通気部から漏れた場合でも、保護板により加熱調理器の設置部を保護することができる。
【００１２】
好ましくは、上記加熱調理器において、
グリル庫内の下方域には、グリルバーナを上方から覆い、調理具の配設部とグリルバーナの配設部とを上下に区画するバーナカバーが設けられ、
炎孔と対向するバーナカバーの側方部には、炎孔からグリル庫の側壁に向かって噴出されるガスの燃焼排気が上方に向かって流れるように熱気導出部が開設されており、
グリル庫の底壁に設けられた通気部は、バーナカバー内に位置する。
【００１３】
上記加熱調理器によれば、グリル庫内の下方域には、グリルバーナを上方から覆い、調理具の配設部とグリルバーナの配設部とを上下に区画するバーナカバーが設けられており、炎孔と対向するバーナカバーの側方部には、炎孔からグリル庫の側壁に向かって噴出されるガスの燃焼排気が上方に向かって流れるように熱気導出部が開設されているから、燃焼排気を調理具の側端部を通過させて、円滑に上方に導くことができる。これにより、グリル庫内で燃焼排気をより効率的に対流させることができる。
一方、上記加熱調理器では、グリルバーナを上方から覆うバーナカバーが設けられているから、点火不良が生じると、バーナカバー内に生ガスが高濃度で滞留し、再点火時に爆着が生じやすい。しかしながら、上記加熱調理器によれば、グリル庫の底壁であって、バーナカバー内に、グリル庫内とグリル庫外とを連通させる通気部が設けられているから、爆着によって生じた衝撃をグリルバーナよりも下方であって、通気抵抗の低い通気部から器具外部への影響の少ないグリル庫外の下方に逃がすことができる。
【００１４】
好ましくは、上記加熱調理器において、
グリル庫内のガスの燃焼排気を外部に排出する排気口を有し、
少なくともバーナカバーよりも上方のグリル庫内の上方域を形成する後壁は、グリル庫内の燃焼排気が後壁から排気口に流出しないように閉塞されており、
グリル庫の上壁は、グリル庫内の燃焼排気を排気口へ導出する排気通路が形成されるように二層構造を有し、
調理具に面する下方の第１上壁には、グリル庫内と排気通路とを連通させる熱気排出部が設けられる。
【００１５】
従来の加熱調理器と同様に、グリル庫の後壁に排気筒と連通する熱気排出部が設けられている場合、調理具よりも下方のグリルバーナから噴出されたガスの燃焼排気は調理具の上方に十分に流れず、通気抵抗の少ない後壁側からグリル庫外に排出されやすい。しかしながら、上記加熱調理器によれば、グリル庫の少なくともバーナカバーよりも上方のグリル庫内の上方域を形成する後壁を閉塞させる一方、グリル庫の上壁を二層構造として排気口へ燃焼排気を導出する排気通路を形成するとともに、調理具に面する下方の第１上壁には、グリル庫内と排気通路とを連通させる熱気排出部を形成しているから、後壁側から排気口への燃焼排気の短絡が防止され、燃焼排気を調理具の側端部を通過させて、円滑に上方に導くことができる。これにより、グリル庫の密閉性が高められ、調理具の上方において、燃焼排気の被調理物への接触時間を長くすることができる。また、グリル庫内の上方に排気通路を設けたから、排気通路に排出された燃焼排気が排気口に向かって流れる間に調理具に面する下方の第１上壁が加熱される。これにより、第１上壁からの輻射熱によっても被調理物を加熱できるから、より効率的に被調理物を加熱することができる。
一方、上記のように少なくともグリル庫の上方域の後壁を閉塞させて密閉性の高いグリル庫とした場合、点火不良が生じた時にグリル庫内に滞留する生ガスの濃度が低下し難くなり、爆着が生じやすくなる。しかしながら、上記加熱調理器によれば、生ガスが滞留しやすいバーナカバーより下方のグリル庫の底壁にグリル庫内とグリル庫外とを連通させる通気部が設けられているから、爆着によって生じた衝撃を、グリル庫の下方であって、通気抵抗の低い通気部から器具外部への影響の少ないグリル庫外の下方に逃がすことができる。
【００１６】
好ましくは、上記加熱調理器において、
グリルバーナは、調理具の下方に配設された下火バーナのみからなる。
【００１７】
グリルバーナとして調理具の下方に配設された下火バーナのみを有するグリルで被調理物を効率的に加熱調理するためには、燃焼能力の大きなグリルバーナを使用する必要があるから、点火時にグリルバーナへのガス供給量が多くなって爆着時の衝撃が大きくなる。しかしながら、上記加熱調理器によれば、生ガスが滞留しやすい調理具の下方のグリル庫の底壁にグリル庫内とグリル庫外とを連通させる通気部が設けられているから、爆着によって生じた衝撃を、グリルバーナよりも下方であって、通気抵抗の低い通気部から器具外部への影響の少ないグリル庫外の下方に逃がすことができる。
【発明の効果】
【００１８】
以上のように、本発明によれば、調理具の下方に配設されるグリルバーナによって、被調理物を効率的に加熱することができる。また、本発明によれば、調理具の下方に配設されたグリルバーナに点火不良が生じ、再点火時に爆着が生じたときでも、爆着の衝撃を通気部から器具外部への影響の少ないグリル庫外の下方に逃がすことができ、グリル扉への衝撃を低減できる。これにより、爆着による燃焼炎がグリル扉とグリル庫との間の隙間から器具外部に漏れることを防止できる。従って、本発明によれば、加熱性能に優れるとともに、高い安全性を有するグリルを備えた加熱調理器を提供できる。
【図面の簡単な説明】
【００１９】
【図１】図１は、本発明の実施の形態１に係る加熱調理器の一例を示す概略斜視図である。
【図２】図２は、本発明の実施の形態１に係る加熱調理器の一例を示す要部概略縦断面図である。
【図３】図３は、本発明の実施の形態１に係る加熱調理器の一例を示す要部概略横断面図である。
【図４】図４は、本発明の実施の形態１に係る加熱調理器の一例を示す要部概略断面斜視図である。
【発明を実施するための形態】
【００２０】
以下、図面を参照しながら本実施の形態に係る加熱調理器を具体的に説明する。図１は、テーブルコンロタイプのガスコンロに適用した本実施の形態の加熱調理器の一例を示す概略斜視図、図２は、要部概略縦断面図、図３は、要部概略横断面図、図４は、後方部分における要部概略断面斜視図である。なお、図４では、煩雑化を避けるため、調理具等の一部の構成は省略している。
【００２１】
図１に示すように、ガスコンロは、天板１００、前板１０１、後板１０４、及び左右の側板１０５から形成され、下方に開放するコンロ本体１０を備える。コンロ本体１０の内部には左右方向中央にグリル２が組み込まれており、天板１００の上面には２つのコンロバーナ１１が配設されている。また、前板１０１には、コンロバーナ１１の点火及び消火を行うための複数のコンロ点消火操作部１３、コンロバーナ１１の火力調整を行うための複数のコンロ火力調節摘み１３ａ、後述するグリルバーナ２１の点火及び消火を行うためのグリル点消火操作部２３、グリルバーナ２１の火力調整を行うためのグリル火力調節摘み２３ａや、所定の報知を行うスピーカ８０が設けられている。なお、本明細書では、コンロ本体１０を前方側から見たときの奥行き方向を前後方向、幅方向を左右方向、高さ方向を上下方向という。
【００２２】
グリル２は、肉や魚等の被調理物を載置したグリルプレート２６あるいは図示しない焼網、または被調理物を収容した図示しない加熱容器などの調理具を収納可能なグリル庫２０と、グリル庫２０の前方開口部２００を開閉するグリル扉２２とを備える。
【００２３】
また、図示しないが、コンロ本体１０の内部には、コンロ点消火操作部１３の点火操作や消火操作に連動して開閉するコンロバーナ１１用のバルブユニットや、グリル点消火操作部２３の点火操作や消火操作に連動して開閉するグリルバーナ２１用のバルブユニット、ガス元管から上記各バルブユニットへガスを導くガス配管等が組み込まれている。
【００２４】
コンロ本体１０内におけるグリル庫２０の後方には、グリルバーナ２１からグリル庫２０内に噴出されたガスの燃焼排気（以下、「熱気」という）や被調理物から発生した油煙、臭気成分等を、天板１００に開設された排気口１４へ導く排気筒２４が配設されている。より詳細には、排気筒２４は、グリル庫２０の後壁２０４の上端部に開設された排気筒入口２４０から後上方へ向かって略Ｌ字状に延設されており、上端の排気筒出口２４１を排気口１４に下方から臨ませている（図２参照）。
【００２５】
グリル扉２２は、グリル扉２２で後述するグリル庫２０の前方開口部２００を閉塞させたときに、グリル庫２０の前枠２０３に当接する後枠２２ａを有しており、後枠２２ａの下方には、グリル扉２２をコンロ本体１０に支持する支持枠２５が連結されている。支持枠２５は、グリル扉２２の後枠２２ａからグリル庫２０の底壁２０２の上面に沿って、後壁２０４側へ向かって略水平に延出しており、グリル庫２０内に設けられた図示しない係合部に前後摺動可能な状態で係合支持されている（図２参照）。
【００２６】
支持枠２５の前後端の上部にはそれぞれ、左右方向に長い略平板状の板枠部２５１が設けられている。板枠部２５１の上面には、プレート上面２６Ａに載置された被調理物を加熱するグリルプレート２６が取り外し可能な状態で載置される。従って、グリルプレート２６は、グリル扉２２を開くことでグリル庫２０内から前方へ引き出され、グリル扉２２を閉じることでグリル庫２０の内部に収納される。なお、上記グリル２は、グリルプレート２６に代えて、蓋付きの加熱容器（例えば、ダッチオーブン鍋）、蓋の無い加熱容器、または焼網を支持枠２５に載置して使用することもできるが、本実施の形態では、グリルプレート２６をグリル庫２０内に設置した場合の構成を中心に説明する。
【００２７】
前後の板枠部２５１の左右方向の中央にはそれぞれ、左右方向に延在する上方へ凸の起立片２５０が形成されている。一方、グリルプレート２６の前後の側端中央部には、起立片２５０と左右幅が略同一の切欠２６０が形成されており、グリルプレート２６は、切欠２６０に起立片２５０を嵌入させることで、板枠部２５１の上面に位置決め状態で支持される。従って、この状態でグリル扉２２を閉じれば、グリルプレート２６がグリル庫２０内の定位置に収納される。
【００２８】
グリルプレート２６は、アルミニウム系金属製の板材を平皿状にプレス成形したものであり、表面には、フッ素樹脂加工等の仕上げ塗装が施されている。なお、グリルプレート２６は、鋳造や鍛造により成形されたものであってもよい。また、グリルプレート２６は、プレート上面２６Ａに載置される被調理物に対して適切な熱量を伝導可能な素材であれば、鉄系や銅系、ステンレス系などの金属で形成されたものであってもよいし、セラミック系材料で形成されたものであってもよい。
【００２９】
グリルプレート２６の左右の側端部２６１は、外側斜め上方に向かって屈曲形成されている。グリルプレート２６のプレート上面２６Ａには、被調理物との接触面積が小さくなるよう、左右方向に延在する上方へ凸の細幅のリブ２６２が前後方向に略等間隔で複数、並設されている。上記リブ２６２の形成部周囲には、被調理物から滲出した油や焼き汁を回収するための溝部２６３が形成されている。
【００３０】
図２〜図４に示すように、グリル庫２０は、上壁２０１、底壁２０２、前枠２０３、後壁２０４、及び左右の側壁２０５を有し、前方に開放する略矩形状の箱体からなる。グリル庫２０は、ガスコンロを所定の設置部に設置したとき、底壁２０２と設置部との間に所定の高さ（例えば、１０〜３０ｍｍ）の隙間が形成されるように、図示しない締結手段によりコンロ本体１０に接続固定されている。これにより、グリル庫２０外の下方には、グリルバーナ２１の燃焼時にグリル庫２０外の空気をグリル庫２０内に流入させる空気導入路が形成される。
【００３１】
グリル庫２０内のグリルプレート２６と底壁２０２との間の空間には、両側壁２０５に沿って左右一対のグリルバーナ２１が配設されている。グリルバーナ２１は、二つの樋状体を上下に重ね合わせて形成された直管状のバーナであり、グリル庫２０の後壁２０４から前方へ向かって略水平に延出している。
【００３２】
炎孔２１０は、グリルバーナ２１の外側端面に沿って設けられており（図３及び図４参照）、グリルバーナ２１に供給されたガスをグリルプレート２６の下方で左右方向の外方（側壁２０５側）に略水平に噴出させるように構成されている。また、グリルプレート２６の下方であって、グリル庫２０の後方には、後壁２０４を貫通する点火電極７０が前方に突設されており、点火電極７０の電極部７０１は各グリルバーナ２１の後方の炎孔２１０に臨むように配設されている。図示しないが、グリル点消火操作部２３で点火操作がなされると、制御ユニットからの制御信号でイグナイタから点火電極７０に高電圧が印加されて、炎孔２１０近傍で電極部７０１から火花放電を生じさせ、炎孔２１０から噴出されるガスを着火させる。さらに、グリルプレート２６の下方であって、グリル庫２０の前方には、燃焼炎を検知するための熱電対（炎検知部）７１が各グリルバーナ２１の前方の炎孔２１０に臨むように配設されている（図２参照）。熱電対７１の出力（起電圧）は制御ユニットに入力される。
【００３３】
また、底壁２０２上には、グリル庫２０内をグリルプレート２６が配設される上方域と、グリルバーナ２１が配設される下方域とに上下に区画する前方視略コ字状のバーナカバー２８が設けられている。バーナカバー２８は、略矩形状の上板６１と、上板６１の側端部から底壁２０２に向かって延在する左右の側板６２とを有し、前後方及び下方に開放している。バーナカバー２８の前方開放部は、前枠２０３の下辺の左右方向中央部から上方に突設する蓋部２０３ａで覆われ、後方開放部は、後壁２０４で覆われており、グリルバーナ２１の全体が上方からバーナカバー２８で覆われている。なお、グリルプレート２６は、バーナカバー２８の上板６１の上方に所定の間隔２０Ｂを存して配設されている。
【００３４】
バーナカバー２８の側板６２には、グリルバーナ２１の炎孔２１０に対向して熱気導出口（熱気導出部）６３が開設されている。グリルプレート２６の下方で、上記側板６２の外側には、上方の空間２０Ｅに繋がる空間２０Ｆが画成されており、グリルバーナ２１から噴出された熱気は、熱気導出口６３を通って上記バーナカバー２８の側方の空間２０Ｆに導出される。そして、熱気は、グリルプレート２６の側端部２６１の外側を通り、側壁２０５に沿って上昇する。これにより、グリルプレート２６は通過する熱気で側端部２６１側から加熱され、グリルプレート２６上の被調理物はグリルプレート２６からの伝導熱によって下方から加熱される。
【００３５】
底壁２０２は、平面視略長方形状を有し、前枠２０３、後壁２０４、及び側壁２０５はそれぞれ、底壁２０２の前後左右の端部から立設している。図３及び図４に示すように、グリルバーナ２１の炎孔２１０よりも左右方向で内側方の底壁２０２の略全面には、通気孔（通気部）２０８が複数、開設されており、グリル庫２０内の下方は、通気孔２０８を介してグリル庫２０外と連通している。従って、グリルバーナ２１の燃焼時にドラフト効果によって通気孔２０８を介してグリル庫２０外の空気がグリル庫２０内に流入し、二次空気としてグリルバーナ２１の炎孔２１０に供給される。そして、グリルバーナ２１の炎孔２１０に供給された二次空気は、熱気として熱気導出口６３を介して上方の空間２０Ｅに供給される。
【００３６】
上壁２０１は、調理具２６に面する下方の第１上壁２０１ａと、第１上壁２０１ａを上方から覆うように配設された第２上壁２０１ｂとからなる二層構造を有する。第１上壁２０１ａは、両側端部がグリル庫２０の左右の側壁２０５に支持固定されており、第１上壁２０１ａと第２上壁２０１ｂとの間には、排気筒入口２４０を通じて排気筒２４に繋がる排気通路２０Ｃが形成されている。
【００３７】
第１上壁２０１ａは、グリル庫２０の左右方向中央部に配設される下向きに凸の前方視略逆台形状の膨出部５１と、両側壁２０５から膨出部５１の外側端縁へ向かって斜め上方に延出する傾斜部５２とを備える。膨出部５１及び傾斜部５２はいずれも、第１上壁２０１ａの前端部から後端部にわたって形成されている。従って、グリル庫２０内の側壁２０５に沿って上昇する熱気は、上記傾斜部５２の下面に沿って膨出部５１の周辺に導かれ、さらに膨出部５１の下面に沿って下方、即ち、プレート上面２６Ａ側へ導かれる。これにより、グリルプレート２６上の被調理物は、グリル庫２０内を外側から上方を回って中央下方へ流れる熱気（対流熱）によって上方から加熱される。
【００３８】
第１上壁２０１ａの後端部は、後壁２０４における排気筒入口２４０の下縁部に沿って当接しており、グリルプレート２６の上方の空間２０Ｅと排気筒入口２４０とを分離している。また、膨出部５１及び傾斜部５２の前後方向の中央よりも前寄りの位置及び後寄りの位置にはそれぞれ、上方の空間２０Ｅと排気通路２０Ｃとを連通させる複数の熱気排出口（熱気排出部）５３が開設されている。
【００３９】
バーナカバー２８よりも上方の後壁２０４は、上方の空間２０Ｅを対流する熱気がグリル庫２０内の後方から排気筒入口２４０へ直接流出しないよう閉塞形成されている。即ち、グリル庫２０内の上方域を形成する後壁２０４には、グリル庫２０外から空気の流入可能な開口は設けられておらず、上方の空間２０Ｅは、熱気排出口５３から排気通路２０Ｃを通じて排気筒入口２４０に繋がっている。
【００４０】
上記グリル庫２０の構成によれば、グリルプレート２６よりも下方のグリルバーナ２１から噴出され、上方の空間２０Ｅへ導かれる熱気やグリルプレート２６上の被調理物から発生する油煙や臭気成分は、熱気排出口５３を通じて排気通路２０Ｃに導出され、さらに排気通路２０Ｃを通って排気筒入口２４０へ導かれ、排気筒２４から排気筒出口２４１を通じて排気口１４からコンロ本体１０の外部に排出される。また、第１上壁２０１ａの前寄りの位置に設けられた熱気排出口５３を通じて排気通路２０Ｃへ導出された熱気中の熱は、熱気が排気通路２０Ｃを流れる間に第１上壁２０１ａによって回収され、グリルプレート２６の上面側へ向けて輻射される。これにより、第１上壁２０１ａを伝熱性に優れる金属板から形成すれば、排気通路２０Ｃの下面を形成する第１上壁２０１ａは集熱板としても機能し、グリルプレート２６上の被調理物は第１上壁２０１ａからの輻射熱によっても上方から加熱される。
【００４１】
各側壁２０５の内面における上下方向の略中央位置、即ち、グリルプレート２６の側端部２６１との側方対向位置には、外側方に凹没する凹面部３０が形成されている。凹面部３０は、側壁２０５の内面に沿ってグリル庫２０の前後方向に延在しており、グリルプレート２６がグリル庫２０の定位置に収納された状態において、グリルプレート２６の側端部２６１の外側方に、前後略一定幅（例えば、２０ｍｍ）の間隙を画成している。従って、グリルバーナ２１からバーナカバー２８の側方の空間２０Ｆに噴出された熱気は、上記間隙を通って上方の空間２０Ｅへ導かれる。
【００４２】
凹面部３０の中央部３１は、上下及び前後方向に広がる平面状に形成されている。また、凹面部３０の周縁は、中央部３１が最も外側方に位置するように傾斜面で形成されている。従って、グリルバーナ２１からバーナカバー２８の側方の空間２０Ｆに噴出された熱気は、凹面部３０の周縁の下方の傾斜面に沿ってグリルプレート２６と凹面部３０との間隙へ導かれ、上方の傾斜面に沿って第１上壁２０１ａの傾斜部５２の下面側へ導かれる。これにより、より効率的にグリル庫２０内に熱気を対流させることができる。
【００４３】
グリル庫２０の側壁２０５の外側には、少なくとも凹面部３０の形成部を外側から覆う略平板状の遮熱壁２９が設けられている。即ち、グリル庫２０の側面部は、グリル庫２０の側壁２０５と、上記遮熱壁２９とからなる二重構造をなしている。遮熱壁２９は、上端部が側壁２０５の上端部に支持固定されており、遮熱壁２９と側壁２０５との間に、空気の層を画成している。これにより、側壁２０５の熱がコンロ本体１０内に組み込まれた電気配線や部品類に直接伝達されるのを防止できる。
【００４４】
本実施の形態のガスコンロのグリル２を用いて加熱調理を行う場合、肉や魚等の被調理物を載置したグリルプレート２６をグリル庫２０内に収納して、グリル扉２２で前方開口部２００を閉塞させ、グリル点消火操作部２３で点火操作が行われると、グリルバーナ２１にガスが供給されるとともに、所定時間、点火電極７０から火花放電を生じさせる点火処理が行われる。
【００４５】
グリルバーナ２１の燃焼炎により熱電対７１が炙られ、所定時間（例えば、１０秒間）内に熱電対７１から出力される起電圧が所定の着火検知レベル以上となってグリルバーナ２１が点火されると、ドラフト効果によってグリル庫２０外の空気が通気孔２０８を介して下方からグリル庫２内に流入する。通気孔２０８はグリルバーナ２１の炎孔２１０よりも下方で、且つ炎孔２１０よりも内側方の底壁２０２に設けられている一方、グリルバーナ２１の炎孔２１０は側壁２０５に向かって開口するように設けられているとともに、グリルバーナ２１を上方から覆うように配設されるバーナカバー２８の側板６２には炎孔２１０と対向する位置に熱気導出口６３が開設されているから、通気孔２０８を介してグリル庫２０外からバーナカバー２８内に流入する空気は、左右方向に広がりながら炎孔２１０周辺を通って、上方の空間２０Ｅに繋がる側方の空間２０Ｆに流れる。これにより、円滑にグリルバーナ２１の炎孔２１０に二次空気が供給される。
【００４６】
そして、上方の空間２０Ｅは第１上壁２０１ａに設けられた熱気排出口５３を介して排気通路２０Ｃに連通しており、排気通路２０Ｃは排気筒２４を介して排気口１４に連通しているから、燃焼時にドラフト効果によってグリル庫２０内には通気孔２０８からグリルプレート２６の側端部２６１を通過して上方に向かう上向きの二次空気の流路が形成される。その結果、炎孔２１０から側方の空間２０Ｆに噴出された熱気は、二次空気の流路に従いグリル庫２０内の側壁２０５に沿って上昇するが、上記傾斜部５２の下面に沿って膨出部５１の周辺に導かれ、さらに膨出部５１の下面に沿って下方、即ち、プレート上面２６Ａ側へ導かれる。これにより、グリルプレート２６上の被調理物は、グリルプレート２６の側端部２６１を通過する熱気によってグリルプレート２６が加熱され、その伝導熱によって下方から加熱されるとともに、グリル庫２０内を外側から上方を回って中央下方へ流れる熱気（対流熱）によって上方から加熱される。このとき、本実施の形態では、従来の加熱調理器と異なり、上方の空間２０Ｅを形成する後壁２０４が閉塞されてグリル庫２０内の熱気を外部に導く排気筒２４が後壁２０４に開口していないから、グリル庫２０内の下方の空間２０Ａ及び上方の空間２０Ｅの熱気は、後壁２０４側から排気口１４に短絡して排出されない。このように、グリル庫２０の密閉性を向上させているから、熱気を長時間、グリル庫２０内に対流させることができる。また、ドラフト効果によって、通気孔２０８は炎孔２１０よりも二次空気の流路の上流に位置するから、高温の熱気が逆流して通気孔２０８からグリル庫２０外に漏洩することもない。従って、本実施の形態によれば、高い密閉性を有するグリル庫２０を構成することができ、グリルプレート２６下方に配設されたグリルバーナ２１のみからの熱気により、上火バーナを用いることなく、被調理物を効率的に加熱することができる。
【００４７】
一方、グリルプレート２６の下方に配設されたグリルバーナ２１のみにより被調理物を加熱する場合、上下バーナ両方が配設される場合よりも高い燃焼能力を有するグリルバーナ２１を使用するとともに、グリル庫２０の密閉性を向上させる必要があるため、点火不良が生じたときにグリル庫２０内に多量の生ガスが噴出されるだけでなく、グリル庫２０内から生ガスも排出され難くなって、グリル庫２０内に生ガスが高濃度で滞留した状態が形成されやすい。しかも、本実施の形態では、グリルバーナ２１を上方から覆うようにバーナカバー２８を設け、グリル庫２０内を上下に区画させているため、グリル庫２０の下方域により高濃度で生ガスが滞留する。その結果、複数回、点火不良が生じると、再点火時に爆着が生じて、衝撃によりグリル庫２０とグリル扉２２との間隙から燃焼炎が漏洩する虞がある。
【００４８】
しかしながら、上記ガスコンロによれば、グリルバーナ２１の炎孔２１０よりも下方であって、炎孔２１０よりも内側方の底壁２０２には、グリル庫２０内とグリル庫２０外とを連通させる通気孔２０８が設けられているから、爆着によって生じた衝撃を、グリル庫２０の下方であって、グリルバーナ２１に近接している通気抵抗の低い通気孔２０８から器具外部への影響の少ないグリル庫２０外の下方に逃がすことができる。即ち、爆着が生じると燃焼時の二次空気の流路と逆向きの下向き方向に燃焼炎を導くことができる。特に、上記ガスコンロでは、効率的に被調理物を加熱するためにグリル庫２０の密閉性を向上させているから、爆着時の衝撃は上方の空間２０Ｅに向かうよりも、通気孔２０８に向かいやすくなる。さらに、上記ガスコンロによれば、通気孔２０８は炎孔２１０よりも内側方に設けられているから、グリル庫２０の側方にバルブユニットなどの機器が配設される場合でも、燃焼炎による影響を防止できる。これにより、再点火時に爆着が生じた場合でも、グリル扉２２への衝撃が低減され、グリル庫２０とグリル扉２２との間隙からの燃焼炎の漏洩を確実に防止できる。従って、上記ガスコンロによれば、加熱性能に優れ、高い安全性を有するグリルを備えたガスコンロを提供することができる。
【００４９】
なお、グリル庫２０の側壁２０５に通気孔を形成すると、グリルバーナ２１の燃焼時に側方の空間２０Ｆに噴出された熱気が側壁２０５からグリル庫２０外に漏洩して、加熱性能が低下するだけでなく、爆着時に衝撃が側壁２０５に設けられた通気孔に向かうため、燃焼炎によってグリル庫２０の側方に設けられた機器が損傷する虞がある。
【００５０】
（その他の実施の形態）
（１）上記実施の形態では、グリル庫の底壁にグリル庫外の空気が流入する通気孔が設けられているが、さらに器具外部の空気をグリル庫内に流入させる空気取り込み部をグリル扉に設けてもよい。これにより、さらに効率的にグリル庫内に空気を流入させることができる。なお、空気取り込み部をグリル扉の底部に設けることにより、爆着時に空気取り込み部から燃焼炎が漏洩する場合でも、器具外部への影響を低減することができる。
（２）上記実施の形態では、左右一対のグリルバーナが用いられているが、外側端面に炎孔が設けられた１本のＵ字状のグリルバーナや両側端面に炎孔が設けられた１本の直管状のグリルバーナを用いてもよい。
（３）上記実施の形態では、下方に開放するコンロ本体内にグリル庫が収容されているが、グリル庫の底壁よりも下方に、底壁と離間し、且つ少なくとも通気部と対向するように保護板を設けてもよいし、コンロ本体に保護板となる底板を設けてもよい。これによれば、上記と同様に、正常燃焼時に底壁と保護板との間に空気導入路を形成でき、通気部から円滑にグリル庫外の空気をグリル庫内に流入させることができるとともに、爆着が生じて、燃焼炎が通気部から漏れた場合でも、保護板により加熱調理器の設置部を保護することができる。
【符号の説明】
【００５１】
２      グリル
２０    グリル庫
２２    グリル扉
２００  前面開口部
２１    グリルバーナ
２６    グリルプレート（調理具）
２８    バーナカバー
５３    熱気排出口（熱気排出部）
６３    熱気導出口（熱気導出部）
２０８  通気孔（通気部）
【図１】
2018128150.tif 000003
【図２】
2018128150.tif 000004
【図３】
2018128150.tif 000005
【図４】
2018128150.tif 000006